(57)【要約】【課題】オブジェクトの向きが勝手に変えられることがなくて、或る利用者のオブジェクトの閲覧が他の利用者によって妨げられるのを防止できる表示システムを提供すること。【解決手段】テーブルトップ（１０）は、オブジェクトを表示するディスプレイ（１２）を有している。携帯端末（３０）はディスプレイ（１２）上に配置され、位置情報取得手段（１１１）は、携帯端末（３０）のディスプレイ（１２）上の位置情報を取得する。重複判断手段（１１２）は、上記位置情報に基づいて、携帯端末（３０）がディスプレイ（１２）上でオブジェクトに重なる重複位置に位置しているかどうか判断する。重複判断手段（１１２）が携帯端末（３０）が上記重複位置に位置していると判断したとき、表示固定手段（１１３）は、オブジェクトの表示状態を固定する。【選択図】図１
2014170278.tif 000002
【特許請求の範囲】
【請求項１】
オブジェクトを表示する表示部を有するテーブルトップと、
上記表示部上に配置されうる携帯端末と、
上記携帯端末の上記表示部上の位置情報を取得する位置情報取得手段と、
上記位置情報に基づいて、上記携帯端末が上記表示部上で上記オブジェクトの少なくとも一部に重なる重複位置に位置しているかどうか判断する重複判断手段と、
上記重複判断手段が上記携帯端末が上記重複位置に位置していると判断したとき、上記オブジェクトの表示状態を固定する表示固定手段と
を備えることを特徴とする表示システム。
【請求項２】
請求項１に記載の表示システムにおいて、
上記オブジェクトの表示状態を固定するオブジェクト操作権限を上記携帯端末に付与するオブジェクト操作権限付与手段を備え、
上記位置情報取得手段は、上記オブジェクト操作権限が付与された携帯端末の上記表示部上の位置情報を取得することを特徴とする表示システム。
【請求項３】
請求項１または２に記載の表示システムにおいて、
上記表示部には複数のオブジェクトが表示され、
利用者の上記テーブルトップに対する手動操作情報、または上記テーブルトップに対する利用者位置情報を取得する利用者情報取得部と、
上記手動操作情報または上記利用者位置情報に基づいて、上記表示固定手段により上記表示状態が固定されているオブジェクト以外のオブジェクトの表示状態を変更する表示変更手段と
を備えることを特徴とする表示システム。
【請求項４】
オブジェクトを表示するテーブルトップの表示部上における携帯端末の位置情報を取得する位置情報取得工程と、
上記位置情報に基づいて、上記携帯端末が上記表示部上で上記オブジェクトの少なくとも一部に重なる重複位置に位置しているかどうか判断する重複判断工程と、
上記重複判断工程が上記携帯端末が上記重複位置に位置していると判断したとき、上記オブジェクトの表示状態を固定する表示固定工程と
を備えることを特徴とする表示方法。
【発明の詳細な説明】
【技術分野】
【０００１】
本発明は、例えば、デジタルサイネージ等のテーブルトップを有する表示システムおよび表示方法に関する。
【背景技術】
【０００２】
従来、表示システムとしては、特開２０１１−１９２０３０号公報（特許文献１）に開示されたものがある。この表示システムは、表示装置と、センサ部と、映像表示制御部とを備える。
【０００３】
そして、上記表示装置の近傍にいる利用者の位置情報をセンサ部が取得し、取得した利用者の位置情報に基づいて、映像表示制御部が、表示装置に対して利用者の多い位置から見て適切な向きになるように映像情報を表示装置に表示する。これにより、利用者の多い位置から見やすい向きに映像情報を表示できる。
【先行技術文献】
【特許文献】
【０００４】
【特許文献１】特開２０１１−１９２０３０号公報
【発明の概要】
【発明が解決しようとする課題】
【０００５】
しかしながら、上記従来の表示システムでは、例えば或る利用者が表示装置の映像情報を閲覧しているときでも、或る利用者の位置とは異なる位置にいる他の利用者が多くなれば、映像表示制御部は、他の利用者の多い位置から見て適切な向きになるように映像情報を表示する。このため、他の利用者が表示装置の周りを移動する等により他の利用者の多い位置が変われば、この他の利用者の多い位置の変化に応じて映像情報の向きが勝手に変えられることにより、或る利用者の映像情報の閲覧が妨げられるという問題があった。
【０００６】
そこで、本発明の課題は、オブジェクトの向きが勝手に変えられることがなくて、或る利用者のオブジェクトの閲覧が他の利用者によって妨げられるのを防止できる表示システムを提供することにある。
【課題を解決するための手段】
【０００７】
上記課題を解決するため、本発明の表示システムは、
オブジェクトを表示する表示部を有するテーブルトップと、
上記表示部上に配置されうる携帯端末と、
上記携帯端末の上記表示部上の位置情報を取得する位置情報取得手段と、
上記位置情報に基づいて、上記携帯端末が上記表示部上で上記オブジェクトの少なくとも一部に重なる重複位置に位置しているかどうか判断する重複判断手段と、
上記重複判断手段が上記携帯端末が上記重複位置に位置していると判断したとき、上記オブジェクトの表示状態を固定する表示固定手段と
を備えることを特徴としている。
【０００８】
本明細書で、「オブジェクト」とは、ドキュメント、画像などの情報を広く指す。
【０００９】
また、一実施形態の表示システムでは、
上記オブジェクトの表示状態を固定するオブジェクト操作権限を上記携帯端末に付与するオブジェクト操作権限付与手段を備え、
上記位置情報取得手段は、上記オブジェクト操作権限が付与された携帯端末の上記表示部上の位置情報を取得する。
【００１０】
また、一実施形態の表示システムでは、
上記表示部には複数のオブジェクトが表示され、
利用者の上記テーブルトップに対する手動操作情報、または上記テーブルトップに対する利用者位置情報を取得する利用者情報取得部と、
上記手動操作情報または上記利用者位置情報に基づいて、上記表示固定手段により上記表示状態が固定されているオブジェクト以外のオブジェクトの表示状態を変更する表示変更手段と
を備える。
【００１１】
また、本発明の表示方法は、
オブジェクトを表示するテーブルトップの表示部上における携帯端末の位置情報を取得する位置情報取得工程と、
上記位置情報に基づいて、上記携帯端末が上記表示部上で上記オブジェクトの少なくとも一部に重なる重複位置に位置しているかどうか判断する重複判断工程と、
上記重複判断工程が上記携帯端末が上記重複位置に位置していると判断したとき、上記オブジェクトの表示状態を固定する表示固定工程と
を備えることを特徴としている。
【発明の効果】
【００１２】
本発明の表示システムによれば、位置情報取得手段と、重複判断手段と、表示固定手段とを備えるので、オブジェクトの向きが勝手に変えられることがなくて、或る利用者のオブジェクトの閲覧が他の利用者によって妨げられるのを防止できる。
【００１３】
本発明の表示方法によれば、位置情報取得工程と、重複判断工程と、表示固定工程とを備えるので、オブジェクトの向きが勝手に変えられることがなくて、或る利用者のオブジェクトの閲覧が他の利用者によって妨げられるのを防止できる。
【図面の簡単な説明】
【００１４】
【図１】本発明の一実施形態の表示システムの要部のシステム構成についてのブロック図である。
【図２Ａ】上記表示システムの携帯端末にオブジェクト操作権限を付与する権限付与動作におけるテーブルトップの動作を説明するためのフローチャートである。
【図２Ｂ】上記権限付与動作における上記携帯電話の動作を説明するためのフローチャートである。
【図３】上記権限付与動作を説明するための図である。
【図４】上記テーブルトップのオブジェクトの表示動作を説明するためのフローチャートである。
【図５Ａ】上記テーブルトップの上記表示動作を説明するための図である。
【図５Ｂ】上記テーブルトップの上記表示動作を説明するための図である。
【図５Ｃ】上記テーブルトップの上記表示動作を説明するための図である。
【図６】上記テーブルトップのオブジェクトの他の表示動作を説明するための図である。
【発明を実施するための形態】
【００１５】
以下、本発明を図示の実施の形態により詳細に説明する。
【００１６】
図１は、本発明の一実施形態の表示システムの要部のシステム構成を示すブロック図である。
【００１７】
図１に示すように、この表示システムは、テーブルトップ１０と、携帯端末３０とを備えている。
【００１８】
上記テーブルトップ１０は、ＣＰＵ（Central Processing Unit）１１、表示部の一例としてのディスプレイ１２、利用者情報取得部の一例としてのタッチパネル１３、フラッシュメモリ１４、ＲＡＭ１５、利用者情報取得部の一例としての人感センサ１６、通信部２１および受光素子２２を有している。
【００１９】
上記携帯端末３０は、通信部２６、発光素子２７およびメモリ３１を有している。
【００２０】
上記ディスプレイ１２は、ＬＣＤ（図示しない）、タッチパネル１３および受光素子２２と一体に設けられた液晶表示装置からなっている。上記ディスプレイ１２は、オブジェクトを表示する。
【００２１】
上記タッチパネル１３は、ディスプレイ１２を介して入力されたテーブルトップ１０に対する利用者からの手動操作情報を取得して、この手動操作情報を表す手動操作信号を出力する。
【００２２】
上記人感センサ１６は、テーブルトップ１０の近傍に位置する利用者を検知して、この利用者のテーブルトップ１０に対する利用者位置情報を取得して、この利用者位置情報を表す利用者位置信号を出力する。
【００２３】
テーブルトップ１０の通信部２１は、近距離（１０ｃｍ程度）に位置する携帯端末３０をＮＦＣ（Near Field Communication；近接場型の無線通信）によって検知して、携帯端末３０を認証する。これにより、通信部２１は、携帯端末３０の通信部２６と双方向通信が可能となる。なお、この双方向通信は、赤外線通信やＢＴ（Bluetooth(登録商標)）によって行われてもよい。
【００２４】
上記メモリ３１は、外部から携帯端末３０に入力されたデータの一部を記憶する。例えば、上記メモリ３１は、テーブルトップ１０から上記双方向通信によって携帯端末３０に入力された後述する赤外線発光パターンを記憶する。
【００２５】
上記発光素子２７は、メモリ３１に記憶されている上記赤外線発光パターンに基づいて、赤外線を発光する。
【００２６】
上記受光素子２２は、周期的にディスプレイ１２上の発光物を検出する。具体的には、上記受光素子２２は、携帯端末３０の発光素子２７による赤外線の上記発光パターンをスキャンして、携帯端末３０の有無を検出する。上記受光素子２２は、携帯端末３０がディスプレイ１２上に存在することを検出したとき、その存在を表す検出信号を出力する。
【００２７】
上記ＣＰＵ１１は、位置情報取得手段１１１、重複判断手段１１２、表示固定手段１１３、オブジェクト操作権限付与手段１１４、および表示変更手段１１５を有している。
【００２８】
上記位置情報取得手段１１１は、受光素子２２からの上記検出信号に基づいて、携帯端末３０のディスプレイ１２上の位置情報を算出して、取得する。
【００２９】
上記重複判断手段１１２は、携帯端末３０の上記位置情報に基づいて、携帯端末３０がディスプレイ１２上で上記オブジェクトの少なくとも一部に重なる重複位置に位置しているかどうか判断する。
【００３０】
上記表示固定手段１１３は、重複判断手段１１２が携帯端末３０が上記重複位置に位置していると判断したとき、上記オブジェクトの表示状態を固定する。
【００３１】
上記オブジェクト操作権限付与手段１１４は、上記オブジェクトの表示状態を固定するオブジェクト操作権限を携帯端末３０に付与する。具体的には、上記オブジェクト操作権限付与手段１１４は、上記オブジェクト操作権限の一例としての赤外線発光パターンを生成し、この赤外線発光パターンを通信部２１，２６を介して、携帯端末３０に送信する。
【００３２】
上記表示変更手段１１５は、タッチパネル１３からの手動操作信号または人感センサ１６からの利用者位置信号に基づいて、表示固定手段１１３によって上記表示状態が固定されているオブジェクト以外のオブジェクトの表示状態を変更する。
【００３３】
次に、図２Ａ〜図３を参照して、上記オブジェクト操作権限付与手段１１４が上記オブジェクト操作権限を携帯端末３０に付与する動作を説明する。
【００３４】
図２Ａは、上記オブジェクト操作権限を付与する権限付与動作におけるテーブルトップ１０の動作を示すフローチャートである。図２Ｂは、上記権限付与動作における携帯端末３０の動作を示すフローチャートである。図３は、上記権限付与動作を説明するための図である。
【００３５】
図２Ａおよび図３に示すように、まず、上記テーブルトップ１０の通信部２１は、近距離に位置する携帯端末３０をＮＦＣによって検知して、携帯端末３０を認証する。これにより、通信部２１は、携帯端末３０の通信部２６と双方向通信が可能となる（図２ＡのステップＳ１）。すなわち、テーブルトップ１０と携帯端末３０とは紐付けられる。
【００３６】
次にステップＳ２に進んで、オブジェクト操作権限付与手段１１４は、認証した携帯端末３０のために赤外線発光パターンを生成し、ステップＳ３に進む。
【００３７】
ステップＳ３では、上記オブジェクト操作権限付与手段１１４は、上記赤外線発光パターンを通信部２１からＮＦＣによって携帯端末３０に送信する。
【００３８】
図２Ｂに示すように、まず、携帯端末３０は、ＮＦＣによってテーブルトップ１０を認証する（図２ＢのステップＳ１１）。
【００３９】
次にステップＳ１２に進んで、携帯端末３０の通信部２６は、ＮＦＣによってテーブルトップ１０から上記赤外線発光パターンを受信する。
【００４０】
次にステップＳ１３に進んで、上記通信部２６は、上記赤外線発光パターンをメモリ３１に記憶して登録する。
【００４１】
次に、図４〜図６Ｃを参照して、上記構成の表示システムのテーブルトップ１０の動作の一例を説明する。
【００４２】
図４は、テーブルトップ１０の上記オブジェクトの表示動作を示すフローチャートである。図５Ａ〜５Ｃは、テーブルトップ１０の上記オブジェクトの表示動作を説明するための図である。
【００４３】
図４に示すように、まず、上記テーブルトップ１０の受光素子２２は、携帯端末３０の発光素子２７からの上記赤外線を検出する。上記位置情報取得手段１１１は、受光素子２２からの上記検出信号に基づいて、携帯端末３０のディスプレイ１２上の位置情報を算出して、取得する（図４のステップＳ２１）。
【００４４】
次にステップＳ２２に進んで、上記オブジェクト操作権限付与手段１１３が携帯端末３０に上記赤外線発光パターンを付与したか否かを判定する。上記赤外線発光パターンが携帯端末３０に付与されているときは、ステップＳ２３に進む一方、上記赤外線発光パターンが携帯端末３０に付与されていないときは、ステップＳ２５に進む。
【００４５】
ステップＳ２３では、上記重複判断手段１１２が、携帯端末３０の上記位置情報に基づいて、携帯端末３０がディスプレイ１２上で上記オブジェクトの少なくとも一部に重なる重複位置に位置しているかどうか判断する。
【００４６】
具体的には、図５Ａに示すように、オブジェクト５１，５２が、利用者１０１が閲覧しやすい方向に、テーブルトップ１０のディスプレイ１２に表示されているとする。ここで、図５Ｂに示すように携帯端末３０がディスプレイ１２上でオブジェクト５１に全体が重なるような重複位置に置く。このとき、上記重複判断手段１１２は、携帯端末３０の上記位置情報に基づいて、携帯端末３０がオブジェクト５１に重なる重複位置にいると判断して、図４のステップＳ２４に進む。なお、携帯端末３０がオブジェクト５１またはオブジェクト５２に重複する位置に位置していないと判断したときは、図４のステップＳ２５に進む。
【００４７】
ステップＳ２４では、上記表示固定手段１１３が、オブジェクト５１について、オブジェクト５１の表示状態、つまりオブジェクト５１の位置と向きを固定する固定フラグを立てる。
【００４８】
次にステップＳ２５に進んで、他の利用者がテーブルトップ２５のタッチパネル１３に対してディスプレイ１２全体を１８０°回転させる手動操作を行う。このとき、上記タッチパネル１３は、テーブルトップ１０に対して入力された他の利用者からの１８０°回転操作情報を取得して、この１８０°回転操作情報を表す手動操作信号を出力する。
【００４９】
次にステップＳ２６に進んで、上記表示変更手段１１５が、上記固定フラグが立てられたオブジェクトが存在するかどうか判断する。そして、上記表示変更手段１１５が、上記固定フラグが立てられたオブジェクトが存在すると判断したとき、ステップＳ２７に進む一方、上記固定フラグが立てられたオブジェクトが存在しないと判断したとき、ステップＳ２８に進む。
【００５０】
ステップＳ２７では、図５Ｃに示すように、上記表示変更手段１１５は、上記タッチパネル１３からの手動操作信号に基づいて、上記固定フラグが立てられていないオブジェクト５２の向きおよび位置を１８０°回転させて表示する。一方、上記表示変更手段１１５は、上記固定フラグが立てられたオブジェクト５１の向きおよび位置を変更せず、オブジェクト５１の表示状態を固定する。
【００５１】
なお、上記タッチパネル１３からの手動操作信号の代わりに、人感センサ１６からの利用者位置信号に基づいて、表示変更手段１１５がオブジェクト５２の表示状態を変更してもよい。具体的には、人感センサ１６が、テーブルトップ１０に対して或る利用者１０１の反対側に位置する新たな他の利用者１０２を検知して、他の利用者１０２の利用者位置情報を取得する。上記表示変更手段１１５は、人感センサ１６からの利用者位置信号に基づいて、上記固定フラグが立てられていないオブジェクト５２の向きおよび位置を１８０°回転させて、他の利用者１０２がオブジェクト５２を閲覧しやすい向きに表示させてもよい。
【００５２】
ステップＳ２８では、上記表示変更手段１１５が、オブジェクト５１，５２の表示を１８０°回転させて表示する。
【００５３】
このように、或る利用者１０１が携帯端末３０をオブジェクト５１に重なるようにディスプレイ１２上に置けば、他の利用者１０２が、ディスプレイ１２のオブジェクト５１の表示を操作したり、テーブルトップ１０に対して或る利用者１０１と別の位置に位置したりしても、表示固定手段１１３によりオブジェクト５１の表示状態は固定されたままである。したがって、オブジェクト５１の向きが勝手に変えられることがなくて、或る利用者１０１のオブジェクト５１の閲覧が他の利用者１０２によって妨げられるのを防止できる。
【００５４】
また、上記赤外線発光パターンが付与された携帯端末３０によってオブジェクト５１の表示状態を固定できて、オブジェクトの向きが勝手に変えられることがなくて、或る利用者１０１のオブジェクト５１の閲覧が他の利用者１０２によって妨げられるのをより確実に防止できる。
【００５５】
また、或る利用者１０１が選択したオブジェクト５１以外のオブジェクト５２について、他の利用者１０２が閲覧しやすい向きに表示できる。
【００５６】
なお、上記実施形態では、上記表示変更手段１１５は、上記固定フラグが立てられたオブジェクト５１の向きおよび位置を固定していた。しかしながら、これに限られず、表示変更手段は固定フラグが立てられたオブジェクトの向きだけを固定してもよい。
【００５７】
また、上記実施形態では、複数のオブジェクト５１，５２が、テーブルトップ１０のディスプレイ１２に表示されていた。しかしながら、これに限られず、例えば図６に示すように、１つのオブジェクト５１が、ディスプレイ１２に表示され、固定フラグが立てられたオブジェクト５１の向きおよび大きさを固定してもよい。また、例えば固定フラグが立てられたオブジェクトの向き、大きさおよび位置を固定してもよい。
【００５８】
また、上記実施形態では、携帯端末３０に上記赤外線発光パターンを付与して、上記位置情報取得手段１１１が、受光素子２２からの上記検出信号に基づいて、携帯端末３０のディスプレイ１２上の位置情報を算出して、取得していた。しかしながら、これに限られず、携帯端末に赤外線発光パターンを付与せず、位置情報取得手段が、磁気センサや超音波センサ等の他のセンサからの検出信号に基づいて、携帯端末の表示部上の位置情報を算出して、取得してもよい。
【００５９】
また、上記実施形態では、上記重複判断手段１１２は、携帯端末３０の上記位置情報に基づいて、携帯端末３０がオブジェクト５１に全体が重なるような重複位置にいるとき、携帯端末３０が重複位置にいると判断していた。しかしながら、これに限られず、携帯端末がオブジェクトの一部に重なるような重複位置にいるときでも、携帯端末が重複位置にいると判断してもよい。
【００６０】
なお、本発明の表示方法は、上記実施形態で説明した上記表示システムの動作と同じであり、位置情報取得工程（つまり、位置情報取得手段）と、重複判断工程（つまり、重複判断手段）と、表示固定工程（つまり、表示固定手段）とを備える。これにより、上記実施形態で説明した上記表示システムの効果と同じ効果を奏する。
【００６１】
本発明の表示システムは、
オブジェクト５１を表示する表示部１２を有するテーブルトップ１０と、
上記表示部１２上に配置されうる携帯端末３０と、
上記携帯端末３０の上記表示部１２上の位置情報を取得する位置情報取得手段１１１と、
上記位置情報に基づいて、上記携帯端末３０が上記表示部１２上で上記オブジェクト５１の少なくとも一部に重なる重複位置に位置しているかどうか判断する重複判断手段１１２と、
上記重複判断手段１１２が上記携帯端末３０が上記重複位置に位置していると判断したとき、上記オブジェクト５１の表示状態を固定する表示固定手段１１３と
を備えることを特徴としている。
【００６２】
上記構成によれば、位置情報取得手段１１１は、携帯端末３０の表示部１２上の位置情報を取得する。重複判断手段１１２は、上記位置情報に基づいて、携帯端末３０が表示部１２上でオブジェクト５１の少なくとも一部に重なる重複位置に位置しているかどうか判断する。表示固定手段１１３は、重複判断手段１１２が携帯端末３０が上記重複位置に位置していると判断したとき、オブジェクト５１の表示状態を固定する。このため、或る利用者１０１が携帯端末３０をオブジェクト５１の少なくとも一部に重なる重複位置に位置するように表示部１２上に置けば、他の利用者１０２が、表示部１２のオブジェクト５１の表示を操作したり、テーブルトップ１０に対して或る利用者１０１と別の位置に位置したりしても、表示固定手段１１３により、オブジェクト５１の表示状態は固定されたままである。したがって、オブジェクト５１の向きが勝手に変えられることがなくて、或る利用者１０１のオブジェクト５１の閲覧が他の利用者１０２によって妨げられるのを防止できる。
【００６３】
また、一実施形態の表示システムでは、
オブジェクト５１の表示状態を固定するオブジェクト操作権限を上記携帯端末３０に付与するオブジェクト操作権限付与手段１１４を備え、
上記位置情報取得手段１１１は、上記オブジェクト操作権限が付与された携帯端末３０の上記表示部１２上の位置情報を取得する。
【００６４】
上記実施形態によれば、上記位置情報取得手段１１１は、上記オブジェクト操作権限が付与された携帯端末３０の上記表示部１２上の位置情報を取得する。このため、上記オブジェクト操作権限が付与された携帯端末３０によってオブジェクト５１の表示状態を固定でき、オブジェクト５１の向きが勝手に変えられることがなくて、或る利用者１０１のオブジェクト５１の閲覧が他の利用者１０２によって妨げられるのをより確実に防止できる。
【００６５】
また、一実施形態の表示システムでは、
上記表示部１２には複数のオブジェクト５１，５２が表示され、
利用者のテーブルトップ１０に対する手動操作情報、またはテーブルトップ１０に対する利用者位置情報を取得する利用者情報取得部１３，１６と、
上記手動操作情報または利用者位置情報に基づいて、上記表示固定手段１１３により上記表示状態が固定されているオブジェクト５１以外のオブジェクト５２の表示状態を変更する表示変更手段１１５と
を備える。
【００６６】
上記実施形態によれば、上記表示変更手段１１５は、上記手動操作情報または利用者位置情報に基づいて、上記表示固定手段１１３により表示状態が固定されているオブジェクト５１以外のオブジェクト５２の表示状態を変更する。このため、或る利用者１０１が選択したオブジェクト５１以外のオブジェクト５２の表示状態を他の利用者１０２が閲覧しやすい向きに変更できて、他の利用者１０２にとって閲覧しやすいように表示できる。
【００６７】
また、本発明の表示方法は、
オブジェクト５１を表示するテーブルトップ１０の表示部１２上における携帯端末３０の位置情報を取得する位置情報取得工程と、
上記位置情報に基づいて、上記携帯端末３０が上記表示部１２上で上記オブジェクト５１の少なくとも一部に重なる重複位置に位置しているかどうか判断する重複判断工程と、
上記重複判断工程が上記携帯端末３０が上記重複位置に位置していると判断したとき、上記オブジェクト５１の表示状態を固定する表示固定工程と
を備えることを特徴としている。
【００６８】
本発明の表示方法によれば、上記位置情報取得工程がオブジェクト５１を表示するテーブルトップ１０の表示部１２上における携帯端末３０の位置情報を取得し、上記重複判断工程は、上記位置情報に基づいて、上記携帯端末３０が上記表示部１２上で上記オブジェクト５１の少なくとも一部に重なる重複位置に位置しているかどうか判断する。上記表示固定工程は、上記重複判断工程が上記携帯端末３０が上記重複位置に位置していると判断したとき、上記オブジェクト５１の表示状態を固定する。このため、或る利用者１０１が携帯端末３０をオブジェクト５１の少なくとも一部に重なる重複位置に位置するように表示部１２上に置けば、他の利用者１０２が、表示部１２のオブジェクト５１の表示を操作したり、テーブルトップ１０に対して或る利用者１０１と別の位置に位置しても、上記表示固定工程によりオブジェクト５１の表示状態は固定されたままである。したがって、オブジェクト５１の向きが勝手に変えられることがなくて、或る利用者１０１のオブジェクト５１の閲覧が他の利用者１０２によって妨げられるのを防止できる。
【符号の説明】
【００６９】
１０  テーブルトップ
１１  ＣＰＵ
１２  ディスプレイ
１３  タッチパネル
１６  人感センサ
２２  受光素子
２７  発光素子
３０  携帯端末
１１１  位置情報取得手段
１１２  重複判断手段
１１３  表示固定手段
１１４  オブジェクト操作権限付与手段
１１５  表示変更手段
【図１】
2014170278.tif 000003
【図２Ａ】
2014170278.tif 000004
【図２Ｂ】
2014170278.tif 000005
【図３】
2014170278.tif 000006
【図４】
2014170278.tif 000007
【図５Ａ】
2014170278.tif 000008
【図５Ｂ】
2014170278.tif 000009
【図５Ｃ】
2014170278.tif 000010
【図６】
2014170278.tif 000011